(57)【特許請求の範囲】
【請求項１】
電子ディスプレイを調整するためのシステムであって、
前方光センサーから第１の光情報を対数的に受信する前方光センサー受信機と、
周辺光センサーから第２の光情報を対数的に受信する周辺光センサー受信機と、
前記電子ディスプレイの輝度を、前記第１の光情報と前記第２の光情報との組み合わせに基づいて調整する調整装置と、
を備え、
前記第１の光情報及び前記第２の光情報は、それぞれ、アナログｔｏデジタル（Ａ／Ｄ）プロセスを介して変換され、
前記第２の光情報は、前記Ａ／Ｄプロセスを受けた後で、ある出力を生成するために、ディスプレイのユーザによるバイアスと組み合わされ、
前記出力は、前記第１の光情報の変換されたバージョンと組み合わされて、ゲイン係数を生成し、
前記ゲイン係数は、前記電子ディスプレイの前記調整を実施するために用いられ、
前記ゲイン係数は、一次ゲイン係数によって乗算され、
前記一次ゲイン係数は、前記第１の光情報とは独立して生成され、
前記乗算された積が、前記電子ディスプレイを調整するために用いられる
ことを特徴とするシステム。
【請求項２】
電子ディスプレイを調整するためのシステムであって、
前方光センサーから第１の光情報を対数的に受信する前方光センサー受信機と、
周辺光センサーから第２の光情報を対数的に受信する周辺光センサー受信機と、
前記電子ディスプレイの輝度を、前記第１の光情報と前記第２の光情報との組み合わせに基づいて調整する調整装置と、
を備え、
前記第１の光情報及び前記第２の光情報は、それぞれ、アナログｔｏデジタル（Ａ／Ｄ）プロセスを介して変換され、
前記第２の光情報は、前記Ａ／Ｄプロセスを受けた後で、ある出力を生成するために、ディスプレイのユーザによるバイアスと組み合わされ、
前記出力は、前記第１の光情報の変換されたバージョンと組み合わされて、ゲイン係数を生成し、
前記ゲイン係数は、前記電子ディスプレイの前記調整を実施するために用いられ、
前記ゲイン係数は、事前定義された参照テーブルを介して、ある定数と相関させられ、
前記相関させられた定数は、前記電子ディスプレイを調整するための新たなゲイン係数を生成するために用いられる
ことを特徴とするシステム。
【請求項３】
前記変換された第２の光情報は、インデックス数に切り替えられる
ことを特徴とする請求項１または２に記載の前記システム。
【請求項４】
定義された式が、前記変換された第１の光情報及び前記変換された第２の光情報と加算されて、ある値を生成し、
当該値は、ゲイン係数を決定するために用いられる
ことを特徴とする請求項１または２に記載の前記システム。
【発明の詳細な説明】
【技術分野】
【０００１】
関連出願の相互参照
本出願は、代理人整理番号４６１０７−０２１３７（Ｖ２１４−００１３Ａ）を有する、２０１４年１２月１日に出願された米国特許出願第 １４／５５６，９０３号に関し、この特許は、同一の譲受人に対して現行の出願として譲渡され、その全ては、本明細書に完全に記載されているかのように、参照によりその全体が組み込まれる。
【０００２】
電子ディスプレイは、点灯されたプラットフォーム上でのデータの再生を容易化する。駆動回路は、点灯された要素を操作して、情報を表示するために用いられる。観察者は、情報を処理したり消費したりするために、ディスプレイを凝視して、点灯された要素を観察する。
【背景技術】
【０００３】
しかしながら、電子情報を伝達するために光が用いられるため、観察経験は、電子ディスプレイが実装される環境によって影響される。例えば、電子ディスプレイが厄介なまたは不便な場所にあれば、電子ディスプレイを観察することは、究極的には妨げられ得る。
【０００４】
さらに、電子ディスプレイの周りの環境は、動的で、変化するものであり得る。例えば、電子ディスプレイが外側または外部の光提供源と相互作用する領域中に実装される場合、点灯された要素を介して情報を伝達する電子ディスプレイの能力は、妨害または変更され得る。
【０００５】
特定の方向に伝送または伝播される光の強度を決定する単位の尺度は、輝度として知られている。輝度を測定するために、カンデラ毎平方メートルなどの様々な単位が用いられ得る。当業者は、いくつかの測定の単位または種類が輝度測定のために用いられ得ることを理解し得る。
【０００６】
例えば、電子ディスプレイが車両中に実装された場合、電子ディスプレイは、外側の照明環境と相互作用し得る。したがって、外部照明に関して、最適な様式で明瞭な表示を提供するためのディスプレイの能力に影響するいくつかの因子が存在し得る。例えば、外部照明は、雲量、天候、道路（例えば、車両がトンネル内にあるかどうか）、時刻などによって影響され得る。
【０００７】
したがって、電子ディスプレイは、外部の照明条件を認識する能力によって大いに補助され得る。外部の照明条件に関する知識に基づいて、電子ディスプレイは、それに応じて、表示輝度を調整し得る。
【０００８】
表示輝度を調整するためのシステムのこのような例の１つが、図１に示されている。図１は、従来の実装形態によりディスプレイ輝度を調整するためのシステム１００の一例を示す。システム１００は、先行技術において既知であるため、詳細な説明は省略する。システム１００は、線形光システムと称される。線形光システムは、６０〜８０進などの特定のダイナミックレンジにわたっては作動しない場合がある。これらのダイナミックレンジにわたっては、アナログ・デジタル変換器が不適格であり得る。
【０００９】
図２は、アンビエントディスプレイ背景輝度（ＤＢＬ）を決定するためのプロセスの一例を示す。図２を参照すると、図示された特徴により、反射係数または輝度レベルなどの様々な因子が既知であれば、ＤＢＬが計算され得る。
【００１０】
図２に示すように、様々な構成要素の反射係数（Ｒ１、・・・、Ｒｎ）が輝度因子と関連付けられる。これらの輝度因子は、ＤＢＬを決定するために用いられ得る。
【００１１】
図２に示す態様は、周辺輝度検出のために、従来のシステムで用いられ得る。例えば、車両の関連においては、以下の因子が感知され得る：ランバート散光、鏡面反射、及びヘイズ散光。
【００１２】
図３（ａ）は、電子ディスプレイ３００上への光の反射がどのように光受容源（すなわち、１つの眼）３１０を介して測定され得るか、の一例を示している。図３（ａ）を参照すると、点源３２０が、光３２５をディスプレイ３００上に発生させる。ディスプレイ３００は、光３２５を、角度３１５を介して、光受容源３１０上に反射する。当業者に既知の、反射因子β、角度３１５の数学的関係を用いて、システムは、ディスプレイからの反射によって引き起こされる周辺光を決定し得る。
【００１３】
図３（ｂ）は、正反射方向に対する源の傾斜（角度３１５）での輝度のグラフ３５０を示す。ｙ軸及び提供された範囲は、異なる角度において様々な輝度修正を引き起こし得る関連する効果を示す。
【００１４】
図３（ｂ）に示された様々な影響は、電子ディスプレイ３００の観察者に、様々な背景輝度（ＤＢＬ）を見せ得る。したがって、ＤＢＬが増すに連れて、ディスプレイの輝度は、ＤＢＬ効果に対抗するように対応する量で増加し得る。
【００１５】
どのようにディスプレイ輝度を調整すべきかを理解するために、（提出されたいくつかの参考文献中に説明されているように）、Ｓｉｌｖｅｒｓｔｅｉｎ関係が提供される。以下に説明される式は、検出ＤＢＬとディスプレイ中で用いられるべき輝度との間の関係を説明する。
0006305972.tif 000002
各項は、次のように定義される：
ＥＳＬ＝ｃｄ／ｍ2単位の、発せられた記号の輝度、
Ｂo＝輝度オフセット定数、
ＤＢＬ＝ｃｄ／ｍ2単位の、様々なディスプレイ背景輝度、
ｃ＝出力定数（対数座標における出力関数の勾配）。
【００１６】
陰極線管（ＣＲＴ）ディスプレイ技術に関しては、蛍光体の反射率は、蛍光体光放射の関数として変化することはない。液晶ディスプレイ（ＬＣＤ）は、各々のＬＣＤセルが経験する「オン」及び「オフ」状態に起因する異なる課題を提示する。したがって、ＬＣＤディスプレイに関して、Ｓｉｌｖｅｒｓｔｅｉｎ関係の変動が計算され得る。しかしながら、上述のＤＢＬ関係を用いることによって、ディスプレイの視認性は大幅に改善され得る。
【００１７】
加えて、Ｓｉｌｖｅｒｓｔｅｉｎ手法を用いる様々な他の因子が採用され得る。例えば、前方光センサーを用いるゲイン補正係数（ＧＦ）が計算され得る。
【００１８】
しかしながら、光順応効果を補償する既存の対数的センサーは、Ｓｉｌｖｅｒｓｔｅｉｎ手法（直線光感知用に最適化して設計される）とは不適合であり得る。したがって、ディスプレイ調整システムにおいて対数的光センサーを用いることは、究極的には妨げられ得る。
【００１９】
本発明の詳細な説明は、以下の図面を参照する。これらの図面において、同様の参照番号は同様の項目を指す。
【図面の簡単な説明】
【００２０】
【図１】従来の実装形態によるディスプレイ輝度を調整するためのシステムの一例を示す。
【００２１】
【図２】アンビエントディスプレイ背景輝度（ＤＢＬ）を決定するためのプロセスの一例を示す。
【００２２】
【図３ａ】電子ディスプレイへの光の反射が光受容源を介してどのように測定され得るか、の一例を示す。
【００２３】
【図３ｂ】正反射方向に対して源が傾斜している輝度グラフを示す。
【００２４】
【図４】電子ディスプレイを光感知に基づいて調整するためのシステムの実装形態の一例を示す。
【００２５】
【図５】図４の調整装置の実装形態のブロックレベルの図の一例を示す。
【００２６】
【図６】図７のシステムで用いられる参照テーブルの一例を示す。
【００２７】
【図７】別の例示の実施形態による調整装置の例を示す。
【００２８】
【図８】別の例示の実施形態による調整装置の例を示す。
【００２９】
【図９】図４に示すシステムを実装する車両の例を示す。
【発明の概要】
【００３０】
電子ディスプレイを調整するためのシステムが、本明細書において提供される。当該システムは、前方光センサーから第１の光情報を対数的に受信するための前方光センサー受信機と、周辺光センサーから第２の光情報を対数的に受信するための周辺光センサー受信機と、電子ディスプレイの輝度を第１の光情報と第２の光情報との組み合わせに基づいて調整するための調整装置と、を含む。
【発明を実施するための形態】
【００３１】
本発明は、本発明の例示の実施形態が示されている添付図面を参照して、以降でより完全に説明される。本発明は、しかしながら、多くの異なる形態で実現され得るし、本明細書に記載される実施形態に限定されるものと解釈されるべきではない。むしろ、これらの例示の実施形態は、本開示が完全であり、本発明の範囲を当業者に十分に伝達するものであるように、提供される。この開示の目的上、「各々のうちの少なくとも１つ」は、複数の列挙された要素の組み合わせを含む、それぞれの語に続く列挙された要素の任意の組み合わせ、を意味するものと理解されるであろう。例えば、「Ｘ、Ｙ、及びＺのうちの少なくとも１つ」は、Ｘだけ、Ｙだけ、Ｚだけ、または、２つ以上の項目Ｘ、Ｙ、及びＺの任意の組み合わせ（例えば、ＸＹＺ、ＸＺ、ＹＺ、Ｘ）、を意味すると解釈される。図面及び詳細な説明の全体にわたって、別記されない限り、同一の図面参照番号は、同一の要素、特徴部、及び構造を示すものと解釈される。これらの要素の相対的なサイズ及び描写は、明瞭さ、解説、及び利便性のために、誇張されているかもしれない。
【００３２】
電子ディスプレイは、観察者に情報を伝達するために照明を用いる。背景技術の章で説明したように、照明は、しばしば、周辺光または天候の状態などの環境状態によって邪魔される。これらの状況下では、観察経験は、環境状態によって影響され、したがって、混乱され得る。
【００３３】
照明が調整されることを許容する様々な技法が開示されている。しかしながら、これらの技法は、それらが提供する範囲または動的能力のいずれかによって限定されている。
【００３４】
このような１つの実装形態では、周辺光が検出され、それに応じてディスプレイが修正または調整される。電子ディスプレイ上に位置付けられ得るこれらのセンサーを用いて、電子ディスプレイに影響する光は、ディスプレイを修正または調整するために用いられる。
【００３５】
しかしながら、この光は、電子ディスプレイ上での観察に影響し得るすべての外部照明を網羅することはない。例えば、観察者の眼は、外部の照明源（すなわち、太陽など）を介して経験される照明条件によって影響され得る。これらの状況下では、太陽照明は、観察者の瞳に、電子ディスプレイを異なった様式で処理及び観察させ得る。
【００３６】
背景技術の章及び他の技法で解説したように、線形前方光センサーを用いる近似法が提案されている。この手法は、線形光感知と関連付けられた範囲の制限のため、効果的には作用しない。線形前方光センサーは、電子ディスプレイを調整する技術を成功裏に実装するために必要な検出量を十分にカバーしない範囲を供給する。
【００３７】
電子ディスプレイを光検知に基づいて調整するための方法、システム、及びデバイスが、本明細書に開示される。本明細書に開示される特徴は、電子ディスプレイシステムを効果的に調整するために、前方光センサー及び周辺光センサーで対数的光感知を用いることを考慮する。本明細書に開示される様々な方法及び構成要素は、ディスプレイシステムの実装に関する環境上の懸念に対して動的に応答することを許容するような様式で光レベルを調整するために、システムが電子ディスプレイをレンダリングする（演出する）または駆動することを容易化する。
【００３８】
例えば、電子ディスプレイが車両の中に実装された場合、前方光センサー、周辺光センサー、及び両方のセンサーからのデータを統合するためのシステムは、電子ディスプレイシステムの観察者がより良好で安全な駆動システムを達成することを、許容し得る。
【００３９】
本明細書に開示される特徴は、説明目的で車両ディスプレイシステムを用いている。しかしながら、当業者は、前方光センサーと周辺光センサーとの両方を用いる他の文脈で、本明細書に開示される特徴を実装し得る。
【００４０】
以下に説明される実装形態中の前方光センサー及び周辺光センサーは、対数的である。対数的光センサーの採用は、ダイナミックレンジを提供することを可能とする。
【００４１】
図４は、電子ディスプレイ４５０を光感知に基づいて調整するためのシステム４００の実装形態の一例を示す。図４を参照すると、システム４００は、対数的前方センサーインターフェーサ４１０、調整装置４２０、及び対数的周辺光センサーインターフェーサ４３０を含む。調整装置４２０は、以下に説明するもしくは当業者には既知の、非一時的コンピュータ可読媒体またはプロセッサの上で動作するように構成され得る。
【００４２】
対数的前方センサーインターフェーサ４１０は、対数的前方センサー４８０からデータまたは感知情報を受信するように構成される。センサー４８０は、前方表面（例えば、車両中のフロントガラス）を介して観察している観察者によって眺められている画像または領域を複製するような仕方で搭載され得る。例えば、ディスプレイ４５０が車両中に実装された場合、センサー４８０は、フロントガラスを介して入射する光を観察するように配向され得る。
【００４３】
ディスプレイ４５０は、駆動回路に取り付けられた任意の種類の電子ディスプレイであり得る。ディスプレイ４５０は、点灯された要素を介して画像及び情報をレンダリングする（演出する）。照明の量は、調整によって、及び本明細書に開示される特徴に従って、構成され得る。
【００４４】
ディスプレイ４５０は、対数的周辺光センサー４６０及び４７０などの複数のセンサーを含み得る。センサー４６０及び４７０は、周辺光センサーインターフェーサ４３０とインターフェースをとるように構成され得る。
【００４５】
様々なセンサー（センサー４６０、４７０、及び４８０）は、各々が、各々が位置付けられている環境と関連付けられた光を監視するように構成されている。感知は、リアルタイムでまたは周期的間隔で発生し得る。感知は、ユーザの操作によって、または、ディスプレイ４５０と通信している電子システムからの外部信号によって、有効化／無効化されるように構成され得る。
【００４６】
調整装置４２０は、インターフェーサ４１０及び４３０を介して受信された情報に基づいて、ディスプレイ４５０と関連付けられた照明を調整する。当該調整は、本明細書に開示される概念に従い得るが、以下により詳細に説明される。
【００４７】
図５は、様々なセンサー４６０、４７０、及び４８０と共に示した様に、調整装置４２０の実装形態のブロックレベル図の例を示す。当該ブロックレベル図で用いられている要素は、以下に列挙されるような任意の種類の回路または符号化ベースロジック（回路）中に実装され得る。
【００４８】
図５を参照すると、センサー４６０及び４７０は、各々が、実際のセンサー回路４６１及び４７１ならびに増幅器４６２及び４７２を含む。各々の増幅器によって生成された電圧は、図５に示すようなもの（Ａ／Ｄ５１０及びＡ／Ｄ５１１）などのアナログ・デジタル変換器（Ａ／Ｄ）に出力される。以下の式は、Ａ／Ｄ５１０及びＡ／Ｄ５１１に入力される電圧を定義するために用いられ得る：
【００４９】
0006305972.tif 000003
【００５０】
デジタル変換は、以下の式で表される：
【００５１】
0006305972.tif 000004
【００５２】
上で特定された式（項、定数の定義、及び導出）は、本出願と共に提出された参考文献中に見出され、したがって、簡潔さのために完全な説明は省略される。
【００５３】
Ａ／Ｄブロックの出力が、調整装置４２０を駆動する（ひいては、ディスプレイ４５０の照明を調整する）ために用いられ得る。一方、ディスプレイ４５０を別の方法で調整するために、以下に説明するような値が用いられてもよい。 
【００５４】
以下の関係は、Ｌsel値を説明する。Ｌsel値は、所望されるディスプレイ輝度であり、様々な定数ステップ比Ｒに基づいて参照テーブルを入力する（形成する）ことによって決定され得る。定数ステップ比が用いられる場合、ＮD値及びＮDB値が、Ｌｓｅｌ値を決定するために用いられ得る。ＮDはＡ／Ｄ出力によって使用及び導出され、ＮDBはユーザのオフセットまたはバイアスによって取得され得る。この定義は、開示される参考文献内で説明され、以下のように列挙されている：
【００５５】
0006305972.tif 000005
【００５６】
上記の関係の対数表現は、以下によって定義される：
【００５７】
0006305972.tif 000006
【００５８】
分析を容易にするために、上の関係の底１０のバージョンは、以下の式によって計算され得る：
【００５９】
0006305972.tif 000007
【００６０】
0006305972.tif 000008
【００６１】
計算された各Ｌselに対して、対応する定数の数字を見出すために、参照テーブル（ルックアップテーブル）が参照され得る。上に示した調整装置４２０の目的のためには、定数は（ＮD）として既知である。
【００６２】
上記の関係が、センサー４６０、４７０、及び４８０から取得されたデータによって実施される分析によってどのように組み込まれるか、を以下にさらに説明する。
【００６３】
具体的には、センサー４８０に関して、以下に説明される次の関係が、本明細書に説明される調整を増強するために用いられ得る値をもたらす。センサー４８０は、それぞれ、回路４６１及び４６２に類似した回路４８１及び４８２を含み得る。
【００６４】
センサー４８０は電圧を生成し、これは以下の関係によって定義され得る：
【００６５】
0006305972.tif 000009
【００６６】
0006305972.tif 000010
【００６７】
上の式で生成された電圧は、（要素５２０で示されるように）、以下の関係で、Ａ／Ｄ変換を経てもよい：
【００６８】
0006305972.tif 000011
【００６９】
この式は、以下によってさらに変換され得る：
【００７０】
0006305972.tif 000012
【００７１】
式中、ＫFFLSは定数であり、それにより、Ａ／Ｄ変換のための以下の関係を表現する：
【００７２】
0006305972.tif 000013
【００７３】
この関係を操作して、以下を得る：
【００７４】
0006305972.tif 000014
【００７５】
この関係の対数をとり、以下を得る：
【００７６】
0006305972.tif 000015
【００７７】
式をさらに操作するために、ＮH因子が用いられ得る。ＮH因子は、上のＡ／Ｄカウント値によって決定され得、以下の関係を定義した：
【００７８】
0006305972.tif 000016
【００７９】
これが、前の関係に代入されて、次を生成し得る：
【００８０】
0006305972.tif 000017
【００８１】
上の関係に１．１２５を乗算して、要素５２４に示された関係を得る：
【００８２】
0006305972.tif 000018
【００８３】
上の関係により、要素５３０に入力される１．１２５ｌｏｇ10（ＦＦＶＩ）因子を得る。
【００８４】
要素５３０は、様々なセンサー（４６０〜４８０）からの寄与を合計して、ゲイン係数（ＧＦ）を得るための以下の関係を得る：
【００８５】
0006305972.tif 000019
【００８６】
要素５３０では加算及び減算しか用いられないことから、上の関係は対数的センサーを用いる別の利点を示す。要素５１７によってゲイン係数（ＧＦ）の乗算を実施する方法は、プロセッサによって実施され得る。しかしながら、より計算的でなく集約的でない方法は、参照テーブルを構築することである。
【００８７】
要素５３１では、分岐ステートメントを用いて、ＧＦがある閾値（例えば、１）を超えているかどうかを決定する。（要素５３０によって計算された）ＧＦが１を超える場合、調整装置４２０は要素５１７に進む。ＧＦが１を超える場合、センサー４６０及び４７０によって決定されたＬSEL値に、要素５１７においてＧＦを乗算する。
【００８８】
５１７の出力はディスプレイ４５０にフィードバックされ、ディスプレイ４５０は、乗算された値に従って調整される。
【００８９】
（要素５３１で）「いいえ」であれば、ＧＦは１に設定され、調整装置４２０は、要素５１７に進む。この状況では、ディスプレイ４５０は調整されない。１つの例では、要素５１７で実施されたＧＦの乗算は、プロセッサによって実施され得る。しかしながら、別の例では、参照テーブルが用いられ得る。
【００９０】
参照テーブルと共に用いる定数を決定するため、以下の式の集合が調整装置４２０で組み込まれ得る。要素５１４は、Ｎd＋Ｎbdの値を得る合計ブロックである。この値は、要素５１８でもたらされる値を計算するために用いられる。それは、以下の関係を満たすために要素５１５にさらに伝播され得る：
【００９１】
0006305972.tif 000020
【００９２】
式中、ＮSは、Ｎd＋Ｎbdの値である。
【００９３】
ステップ数（これは、図６に示すように、参照テーブル６００に相互参照される）を決定するために、以下の一連の式が用いられる：
【００９４】
0006305972.tif 000021
【００９５】
上の式を組み合わせて、以下を決定する：
【００９６】
0006305972.tif 000022
【００９７】
上の式を簡略化することにより、以下を得てもよい：
【００９８】
0006305972.tif 000023
【００９９】
上の式をさらに操作して、以下を得る：
【０１００】
0006305972.tif 000024
【０１０１】
指数項を減算すると、以下が生じる：
【０１０２】
0006305972.tif 000025
【０１０３】
自然対数を得ると、以下が提供される：
【０１０４】
0006305972.tif 000026
【０１０５】
各Ｎステップについてのディスプレイ輝度比率を記述する輝度比ＲDは、以下によって定義され得る：
【０１０６】
0006305972.tif 000027
【０１０７】
上の式を代入して、以下を得る：
【０１０８】
0006305972.tif 000028
【０１０９】
前の式は、センサー４６０及び４７０のステップレベルが重要ではないこと、ならびに、差ΔＮ＝（ＮGF−ＮS）が加算される必要があること、を示す。
【０１１０】
この関係を、図７により詳細に示す。図７は、別の例示の実施形態による調整装置４２０の一例を示す。図５及び図７に示す調整装置４２０間の重要な相違は、要素５１７が取り除かれていている（それにより、要素５１７を実装するために必要な処理出力またはハードウエア構成部品を回避する）ことである。その代わりにＧＦテーブル７１０があり、これが、計算されたＧＦをΔＮと（例えば、参照テーブル６００を介して）相関させる。ΔＮは、次に、要素７２０（これは、要素５１５に類似しているが、ΔＮの項を組み込む）に入力される。ディスプレイの調整のために用いられるＧＦは、７３０において計算され得る。
【０１１１】
別の相違は、図７の要素５２４が図５のそれとは異なることである。図に示すように、式は、参照テーブルが用いられることに起因して異なった導出に対抗（対応）するように、異なっている。
【０１１２】
図６は、システム４００で用いられ得る参照テーブル６００の一例を示す。参照テーブル６００は例示であり、値及び、ＧＦとΔＮ因子との間の相関は、実装されたディスプレイ仕様に基づいて修正され得る。また、図６には、ΔＮとＧＦとの間の関係を示すグラフ６５０が示されている。
【０１１３】
図８は、調整装置４２０の別の実装形態の例を示す。図８の実装形態は、図５のそれに類似しているが、様々な要素が、図８及び以下に説明する一連の数式に示すように変更されている。図８に示す例は、数式を用い、それで、参照テーブル６００などの何らかの参照テーブルに対する必要性を除去している。
【０１１４】
インデックス数ＮDに依存する代わりに、要素８１０、８２０、及び８３０が導入されている。また、要素５１８及び５２４が、テーブルインデックスパラメータＮH及びＮDを解消するように変更されている。以下の式及び公式の集合が、インデックス数がどのようにして置き換えられるかを説明する。
【０１１５】
ディスプレイ周辺光センサーの出力は、図５に説明したものと類似した方法で計算される。
【０１１６】
0006305972.tif 000029
【０１１７】
上の式を次いで変換して、以下を得る。
【０１１８】
0006305972.tif 000030
【０１１９】
これは、以下の導出に至る：
【０１２０】
0006305972.tif 000031
【０１２１】
0006305972.tif 000032
【０１２２】
ｉALSの解を以下のように求める：
【０１２３】
0006305972.tif 000033
【０１２４】
ディスプレイ背景輝度（ＤＢＬ）と光電流ｉALSとの間の関係は、以下によって定義され、式中、Ｂは、観察者の幾何学的関係に基づく反射率係数である：
【０１２５】
0006305972.tif 000034
【０１２６】
ＤＢＬに対する解を求めて、以下を得る：
【０１２７】
0006305972.tif 000035
【０１２８】
その後、ＥＳＬの解が求められ得る（ブロック８１０）：
【０１２９】
0006305972.tif 000036
【０１３０】
0006305972.tif 000037
【０１３１】
0006305972.tif 000038
【０１３２】
0006305972.tif 000039
【０１３３】
要素８３０では、要素８１０によって計算された量に、ユーザバイアスに対応するＲD（ＮBD）を乗算する。この数字は、ＬSELと称され、要素８５０で別の変換を経てもよい。
【０１３４】
0006305972.tif 000040
【０１３５】
上の式で、最後の項は、指数項が決定されることを必要とする。定数Ｋ1及びＫ2が定義されると、要素８３０は以下のように簡略化され得る：
【０１３６】
0006305972.tif 000041
【０１３７】
ゲイン係数を計算するために用いられる要素５１８もまた、以下のように（要素８４０に）修正される。
【０１３８】
0006305972.tif 000042
【０１３９】
0006305972.tif 000043
【０１４０】
0006305972.tif 000044
【０１４１】
いったん要素５１８の出力が生成されると（そして要素８４０に伝播されると）、ゲイン係数と、輝度に対する後続の修正とが、図５に示したのと類似した態様で実施され得る。
【０１４２】
図９は、本明細書に説明するようなシステム４００を実装する車両９００の一例を示す。システム４００は、本明細書に説明する調整装置４２０の実施形態のうちの任意のものを用い得る。
【０１４３】
具体的には、前方の窓から外側を見ている運転者／乗客からの車両の眺めが示されている。車両の他の要素は、例示目的のために図示または説明されていない。車両はディスプレイ４５０を含むが、これは、当業者に知られている任意の電子ディスプレイ４５０であり得る。ディスプレイ４５０の輝度は、本明細書に記載する様々なパラメータによって調整可能であり得る。
【０１４４】
図９に示すように、光源９２０及び９３０が示されている。光源９２０は、車両の外側から発光し得るし、街灯から、または、太陽などの自然発生現象から、供給され得る。光源９２０は光線９２１を生成する。光線９２１は、運転者／乗客がフロントガラス９１０の外側を見ながら目にする光を表し得る。
【０１４５】
周辺光源などの光源９３０は、車両の内部から発せられる光を表す。光源９３０は、光線９３１を生成する。光線９３１は、ディスプレイ４５０の画面に照射されている光を表し得る。この光を表すために電球が示されているが、ディスプレイ４５０上に伝播されるあらゆる種類の照明効果のための光が生成され得る。例えば、光は、外部の源（すなわち、太陽または月）、複数の光源からの光などに由来し得る。
【０１４６】
システム４００は、光線９２１及び９３１を感知し、次いでディスプレイ４５０を変化させるために、上述した技法を用いる。２組の対数的光センサーを用いることによって、ディスプレイ４５０は、着実及び動的な態様で、様々な照明条件に適応し得る。
【０１４７】
図９は、システム４００が車両中に実装される一例を示す。しかしながら、当業者は、ディスプレイ４５０が位置付けられる任意の種類の環境でシステム４００を実装し得る。
【０１４８】
本発明の趣旨ないし範囲から逸脱することなく、本発明において様々な修正及び変更を行うことができることが、当業者には明らかであろう。したがって、本発明が、本発明の修正及び変更を、それらが添付の特許請求の範囲及びそれらの均等物の範囲にあるならば、網羅することが、意図されている。
【図１】
0006305972.tif 000045
【図２】
0006305972.tif 000046
【図３ａ】
0006305972.tif 000047
【図３ｂ】
0006305972.tif 000048
【図４】
0006305972.tif 000049
【図５】
0006305972.tif 000050
【図６】
0006305972.tif 000051
【図７】
0006305972.tif 000052
【図８】
0006305972.tif 000053
【図９】
0006305972.tif 000054